(57)【要約】【課題】手ぶれが生じたときに、その手ぶれが撮影時にどの程度の影響を与えるかを撮影者に分かりやすく知らせる。【解決手段】シャッター速度を設定し、設定されたシャッター速度に基づいて、手ぶれ補正効果を加味したシャッタースピードＳＨ’を求める（ステップＳ２２０）。このシャッタースピードＳＨ’の手ぶれ限界１／ｆに対する超過段数Ｎを求め（ステップＳ２４０）、求められた超過段数Ｎに応じて手ぶれ検出量を変化させる（ステップＳ２５０）。これにより、被写体像のぶれを補正するときの手ぶれ量に対する補正量の割合を変化させる。そして、手ぶれ補正処理を行い（ステップＳ２６０）、手ぶれ補正後の被写体像を撮影前に表示する（ステップＳ２７０）。【選択図】図４
2008256886.tif 000002
【特許請求の範囲】
【請求項１】
シャッター速度の設定状態に応じて手ぶれ補正の度合いを変化させ、手ぶれ補正された被写体像を撮影前に表示することを特徴とするカメラ。
【請求項２】
請求項１に記載のカメラにおいて、
手ぶれを検出する検出手段と、
前記検出手段により検出された手ぶれによる被写体像のぶれを補正して手ぶれ補正を行う補正手段と、
前記補正手段によりぶれを補正された被写体像を撮影前に表示する表示手段と、
シャッター速度を設定する設定手段と、
前記設定手段により設定されたシャッター速度に基づいて、前記補正手段が前記被写体像のぶれを補正するときの手ぶれ量に対する補正量の割合を変化させる割合変化手段とを備えることを特徴とするカメラ。
【請求項３】
請求項２に記載のカメラにおいて、
前記割合変化手段は、前記シャッター速度が遅いほど、前記手ぶれ量に対する補正量の割合を小さくすることを特徴とするカメラ。
【請求項４】
請求項２に記載のカメラにおいて、
前記割合変化手段は、前記シャッター速度が遅いほど、前記手ぶれ量に対する補正量の割合を大きくすることを特徴とするカメラ。
【請求項５】
請求項２〜４いずれか一項に記載のカメラにおいて、
前記検出手段により検出された手ぶれ量が所定値以上である場合、所定のぶれ防止動作を実行するか否かを撮影者に問い合わせる問い合わせ手段と、
前記問い合わせ手段の問い合わせに対する前記撮影者の応答にしたがって、前記ぶれ防止動作を実行する実行手段とをさらに備えることを特徴とするカメラ。
【請求項６】
請求項５に記載のカメラにおいて、
前記実行手段は、撮像素子の受光感度または絞りを変化させることにより、ぶれ防止動作を実行することを特徴とするカメラ。
【発明の詳細な説明】
【技術分野】
【０００１】
本発明は、手ぶれの警告を行うカメラに関する。
【背景技術】
【０００２】
従来、撮影者の手ぶれを検出し、警告音やファインダー内の表示により警告を行うカメラが知られている（特許文献１参照）。
【０００３】
【特許文献１】特開平５−３１３２４０号公報
【発明の開示】
【発明が解決しようとする課題】
【０００４】
特許文献１に開示されるような従来のカメラでは、手ぶれが生じていることを撮影者に警告することはできるが、その手ぶれが撮影時にどの程度の影響を与えるかを撮影者に知らせることはできない。
【課題を解決するための手段】
【０００５】
請求項１の発明によるカメラは、シャッター速度の設定状態に応じて手ぶれ補正の度合いを変化させ、手ぶれ補正された被写体像を撮影前に表示するものである。
請求項２の発明は、請求項１に記載のカメラにおいて、手ぶれを検出する検出手段と、検出手段により検出された手ぶれによる被写体像のぶれを補正して手ぶれ補正を行う補正手段と、補正手段によりぶれを補正された被写体像を撮影前に表示する表示手段と、シャッター速度を設定する設定手段と、設定手段により設定されたシャッター速度に基づいて、補正手段が被写体像のぶれを補正するときの手ぶれ量に対する補正量の割合を変化させる割合変化手段とを備えるものである。
請求項３の発明は、請求項２に記載のカメラにおいて、割合変化手段は、シャッター速度が遅いほど、手ぶれ量に対する補正量の割合を小さくするものである。
請求項４の発明は、請求項２に記載のカメラにおいて、割合変化手段は、シャッター速度が遅いほど、手ぶれ量に対する補正量の割合を大きくするものである。
請求項５の発明は、請求項２〜４いずれか一項に記載のカメラにおいて、検出手段により検出された手ぶれ量が所定値以上である場合、所定のぶれ防止動作を実行するか否かを撮影者に問い合わせる問い合わせ手段と、問い合わせ手段の問い合わせに対する撮影者の応答にしたがって、ぶれ防止動作を実行する実行手段とをさらに備えるものである。
請求項６の発明は、請求項５に記載のカメラにおいて、実行手段は、撮像素子の受光感度または絞りを変化させることにより、ぶれ防止動作を実行するものである。
【発明の効果】
【０００６】
本発明によれば、手ぶれが生じたときに、その手ぶれが撮影時にどの程度の影響を与えるかを撮影者に分かりやすく知らせることができる。
【発明を実施するための最良の形態】
【０００７】
以下、図面を参照して本発明を実施するための最良の形態について説明する。図１は、本発明の一実施の形態によるカメラの外観図であり、図１（ａ）はカメラの前面を含む斜視図、図１（ｂ）はカメラの背面を含む斜視図である。図１（ａ）において、カメラ本体１に撮影レンズ２が装着されている。図１（ｂ）において、カメラ本体１に表示部１３が配設されている。カメラ本体１の上面には、レリーズボタン１６１が配設されている。
【０００８】
図２は、カメラ本体１および撮影レンズ２の要部構成を説明する図である。撮影レンズ２は、ズームレンズ２１と、シフトレンズ２２と、絞り２３と、フォーカスレンズ２４とを含む。
【０００９】
ズームレンズ２１は、不図示のレンズ駆動機構によって光軸Ａｘ方向に進退駆動され、撮影レンズ２による焦点距離を調節する。シフトレンズ２２は、手ぶれ補正を行うためのレンズであり、不図示のレンズ駆動機構によって光軸Ａｘと直交する面内の所定方向に進退駆動され、撮影レンズ２が後述の撮像部１１上に結像する被写体像の位置を変更する。絞り２３は不図示の絞り駆動機構によって駆動され、光軸を中心とする開口の絞り径を調節する。フォーカスレンズ２４は不図示のレンズ駆動機構によって光軸Ａｘ方向に進退駆動され、撮影レンズ２による焦点位置を調節する。レンズ駆動機構は、カメラ本体１から送出されるレンズ制御信号に対応するレンズ２１、２２、２４をそれぞれ駆動する。絞り駆動機構は、カメラ本体１から送出される絞り制御信号に応じて絞り２３を駆動する。
【００１０】
カメラ本体１には、撮像部１１と、信号処理部１２と、表示部１３と、レンズ制御部１４と、全体制御部１５と、操作部材１６と、記録部１７と、手ぶれ検出部１８とが含まれる。
【００１１】
撮像部１１は、画素に対応する複数の光電変換素子を備えた撮像素子によって構成され、撮影レンズ２によって撮像面上に結像された被写体像を撮像し、画素ごとの光電変換信号を出力する。信号処理部１２は撮像部１１から光電変換信号を読み出し、アナログ信号である光電変換信号をディジタル信号に変換して所定の信号処理を施す。信号処理後の画像データは、表示部１３へ出力されるとともに、全体制御部１５へ出力される。信号処理部１２はさらに、撮像部１１から光電変換信号を間引き読み出ししたり、撮像部１１の撮像面上の任意の領域についての光電変換信号を選択読み出ししたりすることも可能に構成されている。
【００１２】
表示部１３は液晶表示器などによって構成され、信号処理部１２から出力される画像データにより、被写体像の再生画像を表示する。レンズ制御部１４は、全体制御部１５から送出される指令に応じてレンズ制御信号および絞り制御信号を撮影レンズ２へ送出する。
【００１３】
全体制御部１５は、操作部材１６から入力される各操作信号や、手ぶれ検出部１８から出力される検出信号などに基づいて、各種の処理を実行し、カメラ本体１の各ブロックに対する制御信号や指令などを送出する。操作部材１６はレリーズボタン１６１や不図示のズームスイッチなどを含み、各スイッチ操作に対応する操作信号を全体制御部１５へ送出する。なお、レリーズボタン１６１が半押し操作されると、全体制御部１５においてＡＦ処理やＡＥ処理が開始され、レリーズボタン１６１がさらに全押し操作されると、全体制御部１５において撮影処理が開始される。
【００１４】
記録部１７は、挿抜可能に構成されている不図示の記録媒体、たとえばメモリカードなどがカメラ本体１に装着されている状態で、信号処理部１２から送出された画像データを記録媒体に記録する。なお、記録部１７は記録媒体に記録されているデータを読み出し、その読み出しデータを全体制御部１５へ出力することも可能に構成されている。
【００１５】
手ぶれ検出部１８は、撮影者の手ぶれ、すなわち撮影者がカメラ本体１を手で保持して撮影するときに生じる振動を検出し、検出した手ぶれの方向と大きさに応じた検出信号を全体制御部１５へ出力する。手ぶれ検出部１８は、たとえばカメラ本体１の各軸方向の回転角速度を検出するジャイロセンサなどによって構成される。
【００１６】
図３は、撮影時に全体制御部１５によって実行される処理の流れを説明するフローチャートである。図３による処理は、カメラ本体１の電源がオンされて撮影可能状態となったときに起動される。ステップＳ１０において、全体制御部１５は、シャッター速度の設定を行う。たとえば、撮影モードの種類や絞り２３の調節状態に応じて、適正露出となるようにシャッター速度を設定したり、撮影者に予め指定されたシャッター速度を設定したりすることができる。
【００１７】
ステップＳ２０において、全体制御部１５は、撮影者に手ぶれの警告を行うための手ぶれ警告処理を実行する。この手ぶれ警告処理の内容については、後で図４のフローチャートにより説明する。
【００１８】
ステップＳ３０において、全体制御部１５は、撮影者によってレリーズボタン１６１が半押し操作されたか否かを判定する。レリーズボタン１６１が半押しされた場合は、ステップＳ４０へ進む。一方、レリーズボタン１６１が半押しされていない場合は、ステップＳ２０へ戻って手ぶれ警告処理を実行し続ける。
【００１９】
ステップＳ４０において、全体制御部１５は、撮影時に手ぶれを補正するための通常の手ぶれ補正処理を行う。このとき全体制御部１５は、手ぶれ検出部１８から出力される検出信号に基づいてカメラにおける手ぶれ量を求め、その手ぶれ量に基づいて、補正量すなわち補正すべきぶれ量を求める。この補正量に応じて被写体像のぶれを打ち消す方向へシフトレンズ２２を動かすようにレンズ制御部１４に対して指示することで、手ぶれ補正処理を行う。こうして手ぶれ補正処理が実行されることによりシフトレンズ２２が駆動され、手ぶれによって生じる被写体像のぶれが補正される。
【００２０】
ステップＳ５０において、全体制御部１５は、ＡＦ処理とＡＥ処理を行う。このとき全体制御部１５は、信号処理部１２から出力される画像データに基づいて被写体像のボケ具合や明るさを検出し、その検出結果に応じて、フォーカスレンズ２４や絞り２３を動かすようにレンズ制御部１４に対して指示する。これにより、フォーカスレンズ２４が移動されて撮影レンズ２の焦点状態が調節されると共に、絞り２３が調節される。
【００２１】
ステップＳ６０において、全体制御部１５は、撮影者によってレリーズボタン１６１が全押し操作されたか否かを判定する。レリーズボタン１６１が全押しされた場合は、ステップＳ８０へ進む。一方、レリーズボタン１６１が全押しされていない場合は、ステップＳ７０へ進む。
【００２２】
ステップＳ７０において、全体制御部１５は、撮影者によってレリーズボタン１６１の半押し操作が継続中であるか否かを判定する。半押しが継続中である場合は、ステップＳ５０で調節された焦点調節状態および絞り調節状態を保持したまま、ステップＳ６０へ戻る。一方、半押しが継続中でない場合、すなわち撮影者がレリーズボタン１６１を離した場合は、ステップＳ５０で調節された焦点調節状態および絞り調節状態を解除して、ステップＳ２０へ戻る。
【００２３】
ステップＳ８０において、全体制御部１５は、撮影処理を実行する。このとき全体制御部１５は、ステップＳ１０で設定されたシャッター速度に応じて撮像部１１により取得された被写体像の画像データを信号処理部１２から取り込み、その画像データを記録部１７へ出力して記録媒体に記録する。これにより、被写体像の撮影が行われる。ステップＳ８０を実行したら、全体制御部１５は図３のフローチャートを終了する。このようにして、撮影が行われる。
【００２４】
次に、ステップＳ２０において実行される手ぶれ警告処理の内容について説明する。図４は、手ぶれ警告処理のフローチャートを示している。ステップＳ２１０において、全体制御部１５は、焦点距離ｆ、シャッタースピードＳＨおよび手ぶれ補正効果の段数ｎを取得する。焦点距離ｆは、ズームレンズ２１の調節状態に基づいて取得され、シャッタースピードＳＨは、図３のステップＳ１０の設定結果に基づいて取得され、手ぶれ補正効果の段数ｎは、予め設定された値に基づいて取得される。
【００２５】
なお、手ぶれ補正効果の段数ｎは、カメラで設定可能なシャッタースピードの段数により手ぶれ補正の効果を表したものである。たとえば、手ぶれ補正効果の段数ｎが２であったとすると、被写体像のぶれに対する手ぶれの影響は、実際のシャッタースピードよりも２段階分だけ短いシャッタースピードにしたときと同程度となる。したがって、手ぶれ補正効果の段数が大きいほど、手ぶれ補正しないときと比べてシャッタースピードを長くしても、被写体像に手ぶれの影響が出にくくなる。
【００２６】
シャッタースピードに応じて手ぶれの影響が変化する様子を図５に示す。この図５では、焦点距離ｆが１２５ｍｍである場合の例を示している。図５により、手ぶれ補正なしの場合は、シャッタースピードが１／１２５秒、すなわち１／（焦点距離ｆ）秒よりも長くなると手ぶれの影響が現れていることが分かる。この手ぶれの影響が出始めるシャッタースピード１／ｆは、手ぶれ限界と呼ばれている。一方、手ぶれ補正ありの場合は、手ぶれ補正効果の段数ｎが２であるため、手ぶれ限界の１／１２５秒よりも２段階分長いシャッタースピード、すなわちシャッタースピードが１／３０秒よりも長くなると手ぶれの影響が現れている。このように、手ぶれ補正効果の段数ｎが２であるときに生じる手ぶれの影響は、手ぶれ補正なしの場合と比較して、シャッタースピードの長秒時側に２段分シフトする。
【００２７】
ステップＳ２２０において、全体制御部１５は、手ぶれ補正効果を加味したシャッタースピードＳＨ’を求める。このとき全体制御部１５は、ステップＳ２１０で取得したシャッタースピードＳＨと手ぶれ補正効果の段数ｎとに基づいて、手ぶれ補正効果を加味したシャッタースピードＳＨ’を求める。たとえば、図５の例において、シャッタースピードＳＨが１／１５秒である場合を考える。この場合、手ぶれ補正効果の段数ｎが２であるため、それよりも２段分だけ短いシャッタースピード、すなわち１／６０秒が、手ぶれ補正効果を加味したシャッタースピードＳＨ’として求められる。
【００２８】
ステップＳ２３０において、全体制御部１５は、ステップＳ２２０で求めた手ぶれ補正効果を加味したシャッタースピードＳＨ’が、手ぶれ限界の１／ｆよりも大きいか否かを判定する。シャッタースピードＳＨ’が手ぶれ限界１／ｆより大きい場合はステップＳ２４０へ進み、そうでない場合、すなわちシャッタースピードＳＨ’が手ぶれ限界１／ｆ以下である場合は、ステップＳ２６０へ進む。
【００２９】
ステップＳ２４０において、全体制御部１５は、手ぶれ限界１／ｆに対するシャッタースピードＳＨ’の超過段数Ｎを求める。たとえば、図５の例において、前述のようにシャッタースピードＳＨ’が１／６０秒と求められたとする。この場合、シャッタースピードＳＨ’は、手ぶれ限界の１／１２５秒よりも１段分長い。したがって、超過段数Ｎは１と求められる。
【００３０】
ステップＳ２５０において、全体制御部１５は、ステップＳ２４０で求めた超過段数Ｎに応じて手ぶれ検出量を変化させる。このとき全体制御部１５は、次に説明する二つの方法のうちいずれかにより、手ぶれ検出量を変化させる。
【００３１】
一つ目の方法では、手ぶれ量に応じた手ぶれ補正を行う通常の手ぶれ補正のときに比べて、超過段数Ｎに応じた分だけ手ぶれ検出量を小さくする。たとえば、超過段数Ｎが１のときには、手ぶれ検出部１８において検出された実際の手ぶれ量を１／２倍した値を、手ぶれ検出量として求め、超過段数Ｎが２のときには、手ぶれ検出部１８において検出された実際の手ぶれ量を１／４倍した値を、手ぶれ検出量として求める。このようにすると、実際の手ぶれ量に対して、超過段数Ｎに応じた分だけ、手ぶれ補正時におけるシフトレンズ２２の移動量が小さくなる。すなわち、シャッター速度が遅いほど手ぶれ量に対する補正量の割合が小さくなり、手ぶれ補正の効果が減少する。その結果、被写体像のぶれ量が大きくなる。
【００３２】
二つ目の方法では、一つ目の方法とは反対に、通常の手ぶれ補正のときに比べて、超過段数Ｎに応じた分だけ手ぶれ検出量を大きくする。たとえば、超過段数Ｎが１のときには、手ぶれ検出部１８において検出された実際の手ぶれ量を２倍した値を、手ぶれ検出量として求め、超過段数Ｎが２のときには、手ぶれ検出部１８において検出された実際の手ぶれ量を４倍した値を、手ぶれ検出量として求める。このようにすると、実際の手ぶれ量に対して、超過段数Ｎに応じた分だけ、手ぶれ補正時におけるシフトレンズ２２の移動量が大きくなる。すなわち、シャッター速度が遅いほど手ぶれ量に対する補正量の割合が大きくなり、手ぶれ補正が過剰に行われる。その結果、手ぶれの方向とは逆に被写体像がぶれ、シャッター速度が遅いほどそのぶれ量が大きくなる。
【００３３】
なお、ステップＳ２５０において、全体制御部１５は、手ぶれ検出量を変化させる代わりに、シフトレンズ２２へ出力するレンズ制御信号を変化させるようにレンズ制御部１４に対して指令することとしてもよい。たとえば、超過段数Ｎが１のときは、通常の手ぶれ補正のときに比べて、シフトレンズ２２の移動量が１／２倍または２倍となるようなレンズ制御信号をレンズ制御部１４に出力させ、超過段数Ｎが２のときは、通常の手ぶれ補正のときに比べて、シフトレンズ２２の移動量が１／４倍または４倍となるようなレンズ制御信号をレンズ制御部１４に出力させる。このようにしても、前述の手ぶれ検出量を変化させた場合と同様の作用効果が得られる。すなわち、シフトレンズ２２により被写体像のぶれを補正するときの手ぶれ量に対する補正量の割合を、通常の手ぶれ補正のときに比べて、シャッター速度が遅いほど小さくまたは大きくなるように変化させることができれば、どのような方法を用いてもよい。
【００３４】
ステップＳ２６０において、全体制御部１５は、手ぶれ補正処理を行う。このとき全体制御部１５は、図３のステップＳ４０と同じように、手ぶれ検出部１８から出力される検出信号に基づいてカメラにおける手ぶれ量を求め、その手ぶれ量により求めた補正量に応じて、シフトレンズ２２を動かすようにレンズ制御部１４に指示する。その際に、ステップＳ２５０において上記のように手ぶれ検出量が変化されていた場合は、変化後の手ぶれ検出量に応じて補正量を求める。こうして手ぶれ量に対する補正量の割合を変化させることで、手ぶれ補正の度合いを変化させる。
【００３５】
ステップＳ２７０において、全体制御部１５は、ステップＳ２６０の手ぶれ補正処理による手ぶれ補正後の被写体像を表示部１３に表示する。これにより、手ぶれ補正された被写体像が撮影前にスルー画として表示される。このとき、ステップＳ２５０において手ぶれ検出量を変化させることにより、手ぶれ量に対する補正量の割合が変化されている場合は、スルー画を見せることで撮影者に手ぶれの影響を判断させることができる。したがって、手ぶれが生じたときに、その手ぶれが撮影時にどの程度の影響を与えるかを撮影者に分かりやすく知らせることができる。手ぶれの影響が大きいと判断した場合、撮影者は、たとえば手ぶれが少なくなるようにカメラを構えたり、三脚を使用したりといったような対策を採ることができる。
【００３６】
以上説明したようにして、手ぶれ補正効果を加味したシャッター速度ＳＨ’が手ぶれ限界１／ｆを超えている場合は、そのシャッター速度の設定状態に応じて手ぶれ補正の度合いを変化させ、手ぶれ補正された被写体像によるスルー画を撮影前に表示部１３に表示する。その結果、撮影者の手ぶれ量によってスルー画のぶれ具合が変化するため、撮影者の腕前に応じて警告の度合いを変化させることができる。したがって、撮影者に手ぶれの影響度を視覚的にかつアナログ的に知らせることができるため、撮影者はそれを直感的に理解することができる。
【００３７】
ステップＳ２８０において、全体制御部１５は、手ぶれ検出部１８から出力される検出信号に基づいて求められた手ぶれ量が、予め定められた所定値以上であるか否かを判定する。手ぶれ量が所定値以上である場合は、ステップＳ２９０へ進む。一方、手ぶれ量が所定値未満である場合は、図４のフローチャートを終了して手ぶれ警告処理の実行を完了する。
【００３８】
ステップＳ２９０において、全体制御部１５は、所定のぶれ防止動作を実行するか否かを撮影者に問い合わせる。この問い合わせは、たとえば表示部１３に所定のメッセージを表示することにより行う。ここでいう所定のぶれ防止動作とは、シャッター速度を速くして手ぶれによる被写体像ぶれを軽減するための動作である。たとえば、撮像部１１の受光感度を高感度側に変化させたり、絞り２３を開放側に変化させたりすることで、シャッター速度を速くすることができる。
【００３９】
ステップＳ３００において、全体制御部１５は、ステップＳ２９０の問い合わせに対する撮影者の応答にしたがって、前述のようなぶれ防止動作を実行するか否かを判定する。撮影者によりぶれ防止動作の実行を了解する旨の応答がされた場合は、ステップＳ３１０へ進む。一方、撮影者によりぶれ防止動作の実行を拒否する旨の応答がされた場合は、図４のフローチャートを終了して手ぶれ警告処理の実行を完了する。
【００４０】
ステップＳ３１０において、全体制御部１５は、前述のようなぶれ防止動作を実行する。ぶれ防止動作を実行したら、図４のフローチャートを終了して手ぶれ警告処理の実行を完了する。
【００４１】
なお、以上説明した実施の形態では、手ぶれ量に応じてシフトレンズ２２を移動させることにより被写体像のぶれを補正するレンズシフト方式の手ぶれ補正における適用例を説明したが、その他の方式による手ぶれ補正においても本発明を適用可能である。たとえば、画像データ処理により手ぶれ補正を行う電子式の手ぶれ補正や、撮像素子を移動させることにより手ぶれ補正を行うイメージセンサシフト方式の手ぶれ補正においても、適用することができる。
【００４２】
また、以上説明した実施の形態では、カメラ本体１の背面部に配設された表示部１３に手ぶれ補正後の被写体像を撮影前にスルー画として表示することにより、手ぶれが撮影時にどの程度の影響を与えるかを警告することとしたが、ファインダーにおいて手ぶれ補正後の被写体像を撮影前に表示することで、手ぶれが撮影時にどの程度の影響を与えるかを警告することとしてもよい。すなわち、表示部１３の代わりにファインダーにおいて、手ぶれ補正後の被写体像を撮影前に表示することもできる。これにより、撮影者がファインダーを通して被写体像を確認する一眼レフ方式のカメラにおいても、本発明を適用することができる。
【００４３】
以上説明した実施の形態によれば、次の作用効果が得られる。
（１）シャッター速度の設定状態に応じて手ぶれ補正の度合いを変化させ、手ぶれ補正された被写体像を撮影前に表示することとした。このようにしたので、手ぶれが生じたときに、その手ぶれが撮影時にどの程度の影響を与えるかを撮影者に分かりやすく知らせることができる。
【００４４】
（２）全体制御部１５は、シャッター速度を設定し（ステップＳ１０）、設定されたシャッター速度に基づいて、手ぶれ補正効果を加味したシャッタースピードＳＨ’を求める（ステップＳ２２０）。このシャッタースピードＳＨ’の手ぶれ限界１／ｆに対する超過段数Ｎを求め（ステップＳ２４０）、求められた超過段数Ｎに応じて手ぶれ検出量を変化させる（ステップＳ２５０）ことにより、被写体像のぶれを補正するときの手ぶれ量に対する補正量の割合を変化させることとした。このようにしたので、シャッター速度の設定状態に応じて、手ぶれ補正の度合いを適切に変化させることができる。
【００４５】
（３）全体制御部１５は、ステップＳ２５０において、超過段数Ｎに応じた分だけ手ぶれ検出量を小さくするまたは大きくすることにより、シャッター速度が遅いほど、手ぶれ量に対する補正量の割合を小さくまたは大きくすることとした。このようにしたので、手ぶれの影響度が大きくなるほど被写体像のぶれ量が大きくなるように、手ぶれ補正の度合いを変化させることができる。その結果、撮影者の手ぶれ量に応じて撮影前に表示される被写体像のぶれ具合が変化するため、撮影者の腕前に応じて警告の度合いを変化させ、撮影者に手ぶれの影響度を直感的に理解させることができる。
【００４６】
（４）全体制御部１５は、手ぶれ検出部１８により検出された手ぶれ量が所定値以上である場合、所定のぶれ防止動作を実行するか否かを撮影者に問い合わせ（ステップＳ２９０）、その問い合わせに対する撮影者の応答にしたがって、ぶれ防止動作を実行する（ステップＳ３１０）こととした。このようにしたので、手ぶれが大きいときには、効果的に手ぶれを軽減させることができる。
【００４７】
なお、本発明は静止画を撮影するデジタルスチルカメラだけでなく、動画を撮影するビデオカメラ等にも適用可能である。また、ファインダーに被写体像を表示することで、フィルム式のカメラに適用することもできる。
【００４８】
上記の実施の形態では、検出手段を手ぶれ検出部１８、補正手段をシフトレンズ２２、表示手段を表示部１３によりそれぞれ実現し、設定手段、割合変化手段、問い合わせ手段および実行手段を全体制御部１５が実行する処理によってそれぞれ実現したが、本発明はこれに限定されるものではない。上記内容はあくまで本発明の実施の形態の一例であり、発明を解釈する際、この記載事項と特許請求の範囲の記載事項の対応関係には何ら限定も拘束もされない。また、発明の特徴が損なわれない限り、本発明は上記の記載内容に限定されるものでもない。
【図面の簡単な説明】
【００４９】
【図１】(a)はカメラの前面を含む斜視図であり、(b)はカメラの背面を含む斜視図である。
【図２】カメラ本体および撮影レンズの要部構成を説明する図である。
【図３】撮影時に実行される処理のフローチャートである。
【図４】手ぶれ警告処理のフローチャートである。
【図５】シャッタースピードに応じて手ぶれの影響が変化する様子を示す図である。
【符号の説明】
【００５０】
１：カメラ本体、２：撮影レンズ、１１：撮像部、１２：信号処理部、１３：表示部、
１４：レンズ制御部、１５：全体制御部、１６：操作部材、１７：記録部、
１８：手ぶれ検出部、２１：ズームレンズ、２２：シフトレンズ、２３：絞り、
２４：フォーカスレンズ
【図１】
2008256886.tif 000003
【図２】
2008256886.tif 000004
【図３】
2008256886.tif 000005
【図４】
2008256886.tif 000006
【図５】
2008256886.tif 000007